(57)【要約】      （修正有）【課題】市販の詰替え用パウチ容器に直接取り付けることが可能なポンプを提供する。【解決手段】ポンプ１はパウチ容器Ｂのスパウト部と螺着可能なキャップ部２と、このキャップ部２に対して上下に摺動可能に配置した吐出部と、この吐出部の下端に連続し、伸縮可能な弁体部４と、この弁体部４の下端に連続する吸上管５とから構成されている。吸上管５は直線状の管体であり、ポンプをパウチ容器Ｂに取り付けた場合に、パウチ容器Ｂの底部近傍まで達する長さを有するものである。可撓性の合成樹脂シートから形成される容器本体部Ｂ１は、液体の吐出の繰り返しに伴い、全体的に萎むことになる。そして、容器本体部Ｂ１内に空気が流入することがないので、吸上管５の先端は液体に常に接することになり、容器本体部Ｂ１内に液体がなくなるまで使用することが可能である。【選択図】図２
0003221629.tif 000002
【実用新案登録請求の範囲】
【請求項１】
可撓性の合成樹脂シートから形成される容器本体部と、該容器本体部の頂面から上方に突出したスパウト部とを有するパウチ容器に取り付け可能なポンプであって、
前記スパウト部と螺着可能なキャップ部と、該キャップ部に対して上下に摺動可能に配置した吐出部と、該吐出部の下端に連続し伸縮可能な弁体部と、該弁体部の下端に連続する吸上管とから構成されていることを特徴とするポンプ。
【請求項２】
前記吸上管は直線状の管体であり、前記スパウト部に前記キャップ部を螺着した場合に、前記吸上管の先端は、前記容器本体部の底部近傍まで達することを特徴とする請求項１に記載のポンプ。
【請求項３】
前記吐出部は前記キャップ部に挿通する管状の吐出管と、該吐出管をＬ字状に屈曲した押圧片部とから成り、該押圧片部には水平方向の先端に吐出口が設けられていることを特徴とする請求項１又は２に記載のポンプ。
【請求項４】
前記弁体部には、上端側に下方から上方に対して流体を流し、上方から下方に対しての流体の逆流を防止する第１の弁部と、下端側に下方から上方に対して流体を流し、上方から下方に対しての流体の逆流を防止する第２の弁部とが配置されており、前記第１の弁部と前記第２の弁部との間に弾性部材が配置されていることを特徴とする請求項１〜３の何れか１項に記載のポンプ。
【考案の詳細な説明】
【技術分野】
【０００１】
本考案は、スパウト付パウチ容器等に取り付け可能なポンプに関するものである。
【背景技術】
【０００２】
ポンプ式ボトルは、シャンプー、リンス、ボディソープ等の液体を入れて、浴室等で広く利用されている。そして、特許文献１には、容器に取り付けるポンプディスペンサが開示されており、このポンプディスペンサの吸上管の先端は、ボトルの底隅部に達するように湾曲した形状をしている。
【０００３】
また、特許文献２には、詰替え用パウチ容器が開示されており、空になったボトルに対して、詰替え用パウチ容器からシャンプー等の液体を流し込むことで、ボトルに液体を再補充することが可能である。
【先行技術文献】
【特許文献】
【０００４】
【特許文献１】特開２０１７−１０５５３６号公報
【特許文献２】特開２０１８−０８７０２３号公報
【考案の概要】
【考案が解決しようとする課題】
【０００５】
しかし、特許文献１に示すようにディスペンサの吸上管の先端が湾曲していても、湾曲する方向等によっては容器内の底部に残った液体を最後まで吸い上げることができないという問題がある。また、空になったボトルに対して、詰替え用パウチ容器からの詰替え作業は手間を有するという問題もある。
【０００６】
本考案の目的は、上述の課題を解消し、市販の詰替え用パウチ容器に直接取り付け可能であって、パウチ容器内の液体がなくなるまで使用できるポンプを提供することにある。
【課題を解決するための手段】
【０００７】
上記目的を達成するための本考案に係るポンプは、可撓性の合成樹脂シートから形成される容器本体部と、該容器本体部の頂面から上方に突出したスパウト部とを有するパウチ容器に取り付け可能なポンプであって、前記スパウト部と螺着可能なキャップ部と、該キャップ部に対して上下に摺動可能に配置した吐出部と、該吐出部の下端に連続し伸縮可能な弁体部と、該弁体部の下端に連続する吸上管とから構成されていることを特徴とする。
【考案の効果】
【０００８】
本考案に係るポンプによれば、市販の詰替え用パウチ容器に直接取り付けて使用することで、ボトルへの液体の詰替え作業が発生することがない。また、吸上管の先端が容器本体部の底部に到達する必要がなく、適宜のサイズのパウチ容器に対して、容器本体部内に液体がなくなるまで使用することが可能である。
【図面の簡単な説明】
【０００９】
【図１】ポンプを取り付けたパウチ容器の斜視図である。
【図２】パウチ容器の側方の断面図である。
【図３】押圧片部を押下した際のパウチ容器の断面図である。
【考案を実施するための形態】
【００１０】
本考案を図示の実施例に基づいて詳細に説明する。
図１はポンプを取り付けたパウチ容器の斜視図であり、図２はパウチ容器の側方の断面図であり、図３は押圧片部を押下した際のパウチ容器の断面図である。
【００１１】
ポンプ１は合成樹脂製であり、パウチ容器Ｂのスパウト部と螺着可能なキャップ部２と、このキャップ部２に対して上下に摺動可能に配置した吐出部３と、この吐出部３の下端に連続し、伸縮可能な弁体部４と、この弁体部４の下端に連続する吸上管５とから構成されている。
【００１２】
円筒状であるキャップ部２は、下端側の内壁に設けられた第１の内ねじ部２ａと、上端側の外壁に設けられた外ねじ部２ｂと、この外ねじ部２ｂの近傍に設けられた貫通孔２ｃとを備えている。
【００１３】
吐出部３は貫通孔２ｃに挿通する管状の吐出管３ａと、この吐出管３ａをＬ字状に屈曲した押圧片部３ｂとから成り、押圧片部３ｂには、水平方向の先端に吐出口３ｃが設けられている。押圧片部３ｂの下方には円筒部３ｄが垂設されており、この円筒部３ｄの内壁には、第２の内ねじ部３ｅが設けられている。この第２の内ねじ部３ｅとキャップ部２の外ねじ部２ｂとが螺合可能とされている。
【００１４】
弁体部４には、上端側に下方から上方に対して流体を流し、上方から下方に対しての流体の逆流を防止する筒状の第１の弁部４ａと、下端側に下方から上方に対して流体を流し、上方から下方に対しての流体の逆流を防止するボール状の第２の弁部４ｂとが配置されている。
【００１５】
第１の弁部４ａと第２の弁部４ｂとの間には、上方に上蓋部４ｃ及び下方にスプリングばねである弾性部材４ｄが配置されている。第１の弁部４ａ及び第２の弁部４ｂは、流体の逆流を防止する構造であれば、適宜の弁構造を採用することができる。
【００１６】
吸上管５は直線状の管体であり、ポンプ１をパウチ容器Ｂに取り付けた場合に、パウチ容器Ｂの底部近傍に達する長さを有している。なお、市販の詰替え用パウチ容器に取り付け可能とするために、吸上管５及び弁体部４の直径は１ｃｍ程度の細型の形状とされている。
【００１７】
ポンプ１を取り付け可能なパウチ容器Ｂは、可撓性の合成樹脂シートから形成される容器本体部Ｂ１と、この容器本体部Ｂ１の頂面Ｂ２から上方に突出され、外面に外ねじ部Ｂ３を備えたスパウト部Ｂ４とから構成されている。図１に示すようにパウチ容器Ｂは容器本体部Ｂ１の底部により、起立状態を維持することが可能である。
【００１８】
容器本体部Ｂ１は内部にシャンプーやボディソープ等の液体を充填し、図示しないキャップ部材を外ねじ部Ｂ３に螺合させた状態で、詰替え用のパウチ容器として市販されている。
【００１９】
ポンプ１を使用する際には、容器本体部Ｂ１のキャップ部材を取り外し、スパウト部Ｂ４内に吸上管５を挿入する。そして、キャップ部２の第１の内ねじ部２ａをスパウト部Ｂ４の外ねじ部Ｂ３に螺着させて、ポンプ１とパウチ容器Ｂを一体化する。
【００２０】
同時に、ポンプ１の使用前のキャップ部２の外ねじ部２ｂと吐出部３の第２の内ねじ部３ｅとの螺合状態を解除する。この螺合状態は、省スペース化のためであり、螺合状態を解除することで、圧縮していた弾性部材４ｄの弾性力によって吐出部３が上方に移動する。
【００２１】
そして、押圧片部３ｂの押圧、押圧解除をすることで、図３、図２の状態を繰り返すことになる。手で押圧片部３ｂの最初の押下後に、押圧を解除することで、圧縮した弾性部材４ｄの弾性力によって押圧片部３ｂが上方に戻る際に、上昇する上蓋部４ｃと第１の弁部４ａとが嵌合して流路が閉塞すると同時に、第２の弁部４ｂであるボール体が浮上することで液体が第２の弁部４ｂを通って弁体部４内に吸い上げられる。
【００２２】
続いて、弾性部材４ｄの弾性力に抗して押圧片部３ｂを押下すると、第２の弁部４ｂであるボール体が自重及び圧力によって流路を閉塞すると同時に、上下に衝動可能な第１の弁部４ａが弁体部４内の圧力によって上昇し、弁体部４内の液体が第１の弁部４ａと上蓋部４ｃとの間を通って、吐出管３ａ内に押し出される。そして、押圧片部３ｂの押下、押圧解除を繰り返すことで、吐出管３ａに押し出された液体は弁体部４内に逆流することなく、吐出口３ｃから吐出されることになる。
【００２３】
可撓性の合成樹脂シートから形成される容器本体部Ｂ１は、液体の吐出の繰り返しに伴い、全体的に萎むことになる。第１の弁部４ａと第２の弁部４ｂにより容器本体部Ｂ１内に空気が流入することがないので、吸上管５の先端は液体に常に接することになり、容器本体部Ｂ１内に液体がなくなるまで使用が可能である。
【００２４】
ただし、容器本体部Ｂ１内の液体の減少に伴って、パウチ容器Ｂの自立が難しくなるので、専用の収納ケースにパウチ容器Ｂを収納して使用することが好ましい。
【００２５】
このように、本考案のポンプ１を市販の詰替え用パウチ容器に直接取り付けて使用することで、ボトルへの液体の詰替え作業が発生することがない。また、吸上管５の先端が容器本体部Ｂ１の底部に到達する必要がなく、スパウト部Ｂ４の形状がキャップ部２と螺着可能であれば、適宜のサイズのパウチ容器Ｂに対して、容器本体部Ｂ１内に液体がなくなるまで使用が可能である。
【符号の説明】
【００２６】
１  ポンプ
２  キャップ部
３  吐出部
３ａ  吐出管
３ｂ  押圧片部
３ｃ  吐出口
４  弁体部
４ａ  第１の弁部
４ｂ  第２の弁部
４ｃ  弾性部材
５  吸上管
Ｂ  パウチ容器
Ｂ１  容器本体部
Ｂ４  スパウト部
【図１】
0003221629.tif 000003
【図２】
0003221629.tif 000004
【図３】
0003221629.tif 000005